(57)【特許請求の範囲】
【請求項１】
ハウスの天井と、天井面の一部に沿うように配置した第六の防虫ネットと、前記天井の下方で、かつ当該ハウスの短手方向と長手方向の全体わたって張装された第五の防虫ネットとで、このハウスの一方の妻面から、他方の妻面に向った防虫ネット通路を構成し、このハウスの一方の妻面に第一の換気扇を、また、その他方の妻面に第二の換気扇を配置し、また、前記一方の妻面に離間して設け、かつ前記第一の換気扇に対峙して設けた吸水性の多孔質パットを設けたハウスの気化冷却を利用した換気方法であって、
前記第一の換気扇を駆動し、前記一方の妻面より吸込んだ外気を、前記防虫ネット通路に導くとともに、他方の妻面に設けた第二の換気扇に向かって押込むか、又は強制吸引し、この防虫ネット通路において、このハウス内の長手方向に筒状の低圧送風域を形成するとともに、前記吸水性の多孔質パットの水分が、前記第一の換気扇からの送風を受けて細霧化され、前記一方の妻面に離間して設けた第三の防虫ネットより、前記低圧送風域に送られた後に、気化熱により、空気を細霧冷却（潜熱冷却）、及び／又は、空気の換気による顕熱冷却とでなる冷却送風域を形成し、前記低圧送風域で、このハウスの天井換気口、及び左右側面換気口の開放から、外気をハウス内に誘引し、かつこの冷却送風域で、このハウス内の冷却効果を達成する構成としたハウスの気化冷却を利用した換気方法。
【請求項２】
請求項１に記載のハウスの気化冷却を利用した換気方法であって、
前記第一の換気扇は、吸込み兼排気用の換気扇、又は吸込み用の換気扇とし、第二の換気扇は、電動シャッター、又は排気用の換気扇とする構成としたハウスの気化冷却を利用した換気方法。
【請求項３】
請求項１に記載のハウスの気化冷却を利用した換気方法であって、
前記第一の換気扇には、前記吸水性の多孔質パットを対峙して設けるとともに、この多孔質パットは、この第一の換気扇と、前記第三の防虫ネットとの間に設置する構成としたハウスの気化冷却を利用した換気方法。
【請求項４】
請求項１に記載のハウスの気化冷却を利用した換気方法であって、
前記第一の換気扇と、前記第三の防虫ネットとの間に設置した前記吸水性の多孔質パットの下側を、ビニールフィルムにより遮蔽する構成としたハウスの気化冷却を利用した換気方法。
【発明の詳細な説明】
【技術分野】
【０００１】
本発明は、換気扇の空気の流れにより発生する、ハウス内に低圧送風域を利用し、外気を、ハウス内に誘引し、このハウス内の換気促進を図るとともに、このハウス内に吸水性の多孔質パットを設置し、気化冷却（気化熱を利用して空気を冷却：潜熱）を、前記低圧送風域を利用し、ハウス内の温度調整を図ることを目的とするハウスの気化冷却を利用した換気方法に関する。
【背景技術】
【０００２】
従来、ハウスにおいて、温湿度調整（高温障害回避）、炭酸同化作用の促進と、その他作物の生育にとっては必要条件を確保し、健全な生育と、収穫の拡充及び／又は品質の向上、さらには各人が所望する作物の効率的で、かつ簡易な栽培等を図るための種々の条件がある。その基本が、例えば、ハウスの温湿度調整と、その温湿度分布の均一化を図り、かつ省エネルギー（省資源化）が図れる冷却方法、又は冷却装置と、また、ハウス内の送風を、ハウスの長手方向に略水平方向であって、かつ広域的な流れにし、例えば、送風領域の拡充と、効率的な送風を確保し、かつ送風量の低量化と、ファンの低容量化（省資源化）等が図る換気方法、又は換気装置である。そして、この各方法、又は各装置には、経済的な効果及び／又は省エネルギーの達成と、ランニングコストの低廉化等が要望される。
【０００３】
以上の状況から、その改良と、要望に応え得る研究と、これらに関する文献も種々散見される。以下、これらに関する、個々の文献を先行技術として列挙する。
【０００４】
文献（１）は、気化冷却に関するものであり、特開２００８−１４６２３の「全熱交換器用シート」である。この発明は、紙又は不織布からなる多孔質シートに、親水性高分子を含む液を、塗布又は含浸させた構造であり、顕熱及び潜熱の伝道率の向上を図り、暖冷房の効率化を意図する。しかし、この発明は、エアコン用、又は建造物用の全熱交換用シートに関するものであり、ハウスにおける送風との係り合いとがなく、原則として、本願発明とは、分野と全体構造が相違する。また、この発明は、装置内にファンを設置する構造であり、構造の複雑化を招来する。
【０００５】
文献（２）は、気化冷却に関するものであり、特開２００６−１４５１４５の「換気空調装置、空調システム及び建物」である。この発明は、換気空調装置内に、間接気化冷却ユニットと、給排水装置と、ドレンパンを配備する構造とし、夏季の空調時において、換気を確実に行うことで、この換気に伴う室内温度の上昇を回避すること意図する。従って、ハウスにおける送風との係り合いがなく、原則として、本願発明とは、分野と全体構造が相違する。
【０００６】
また、文献（３）は、換気方法に関するものであり、特開２００８−５８２３の「植物栽培用害虫侵入防止ハウス」である。この発明は、要約に記載の如く、防鳥ネットを具備した窓部付き植物栽培用ハウスにおいて、ハウスの壁面に設置された、１個〜複数個の吸気用換気扇の運転と、風量の調整で、ハウス内外の気圧差を作り、内圧を、正圧化するか、或いは、１個〜複数個の吸気用換気扇と排気用換気扇の同時運転による風量のバランス調整で、内圧を、正圧化し、植物栽培用害虫侵入防止と、ハウス内の換気と、並びにハウス内の気温を、略外気温とし、高温生涯回避すること等を意図する。しかし、この発明は、ハウス内の気圧を正圧化し、ハウス内の換気を意図する構造であり、ハウスの長手方向における広域的な換気と、低圧の流れを確保する構造でなく、換気の効率的と、低コスト化、並びに省エネルギー化を達成するには問題がある。また、壁面に換気扇を幾重にも設ける構造であり、工事及び／又は保守管理の困難性、或いはエネルギーロス等の問題が考えられる。そして、また、ハウス内に吸水性の多孔質パットを設置し、気化冷却を図ることは、全く意図しない。
【０００７】
【特許文献１】特開２００８−１４６２３
【特許文献２】特開２００６−１４５１４５
【特許文献３】特開２００８−５８２３
【発明の概要】
【発明が解決しようとする課題】
【０００８】
上記に鑑み、本発明は、下記に示した意図（課題）を達成する。
［Ａ］  本発明は、ハウス内の長手方向に筒状の低圧送風域とともに、吸水性の多孔質パットを設けたハウスの気化冷却システムを形成し、換気及び／又は冷却の効率的と、低コスト化、並びに省エネルギー化を達成すること、又は換気空気量及び／又は冷却の拡充・ハウス内への外気の吸込み量及び／又は冷却の拡充を図ること、等である。
［Ｂ］  本発明は、防虫ネットの張装箇所を特定することで、ハウスの長手方向の側面から外気を、積極的に、誘引して吸込み、この吸込んだ外気を、筒状の低圧送風域に導くとともに、効率的な冷却を図ることで、ハウス内に、冷却された大きな空気の流れを確保すること、等である。
［Ｃ］  本発明は、外気の温度に対応し、吸込み兼排気用の換気扇と、対応する防虫ネットの開閉と、また、シャッターの開閉とを利用し、効率的で、かつ確実な換気と、温度（湿度）調整を図ること、等である。
［Ｄ］  本発明は、ハウス内への外気の吸込み量及び／又は冷却の拡充を図ることで、ハウスにおいて、温湿度調整を図り、炭酸同化作用の促進と、その他作物の生育にとっての必要条件を確保すること、また、健全な生育と、収穫の拡充及び／又は品質の向上、さらには各人が所望する作物の効率的で、かつ簡易な栽培等を図ること、等の諸条件達成すること、等である。
【課題を解決するための手段】
【０００９】
請求項１の発明は、前記［Ａ］〜［Ｄ］に記載の目的を達成する。
【００１０】
請求項１は、ハウスの天井と、天井面の一部に沿うように配置した第六の防虫ネットと、前記天井の下方で、かつ当該ハウスの短手方向と長手方向の全体わたって張装された第五の防虫ネットとで、このハウスの一方の妻面から、他方の妻面に向った防虫ネット通路を構成し、このハウスの一方の妻面に第一の換気扇を、また、その他方の妻面に第二の換気扇を配置し、また、前記一方の妻面に離間して設け、かつ前記第一の換気扇に対峙して設けた吸水性の多孔質パットを設けたハウスの気化冷却を利用した換気方法であって、
前記第一の換気扇を駆動し、前記一方の妻面より吸込んだ外気を、前記防虫ネット通路に導くとともに、他方の妻面に設けた第二の換気扇に向かって押込むか、又は強制吸引し、この防虫ネット通路において、このハウス内の長手方向に筒状の低圧送風域を形成するとともに、前記吸水性の多孔質パットの水分が、前記第一の換気扇からの送風を受けて細霧化され、前記一方の妻面に離間して設けた第三の防虫ネットより、前記低圧送風域に送られた後に、気化熱により、空気を細霧冷却（潜熱冷却）、及び／又は、空気の換気による顕熱冷却とでなる冷却送風域を形成し、前記低圧送風域で、このハウスの天井換気口、及び左右側面換気口の開放から、外気をハウス内に誘引し、かつこの冷却送風域で、このハウス内の冷却効果を達成する構成としたハウスの気化冷却を利用した換気方法である。
【００１３】
請求項２の発明は、前記［Ａ］〜［Ｄ］に記載の目的を達成し、かつ、この目的を達成するに適するハウスの換気扇システムを提供する。
【００１４】
請求項２は、請求項１に記載のハウスの気化冷却を利用した換気方法であって、
前記第一の換気扇は、吸込み兼排気用の換気扇、又は吸込み用の換気扇とし、第二の換気扇は、電動シャッター、又は排気用の換気扇とする構成としたハウスの気化冷却を利用した換気方法である。
【００１５】
請求項３の発明は、前記［Ａ］〜［Ｄ］に記載の目的を達成し、かつ、この目的を達成するに適するハウスの防虫ネットシステムと、吸水性の多孔質パットシステムを提供する。
【００１６】
請求項３は、請求項１に記載のハウスの気化冷却を利用した換気方法であって、
前記第一の換気扇には、前記吸水性の多孔質パットを対峙して設けるとともに、この多孔質パットは、この第一の換気扇と、前記第三の防虫ネットとの間に設置する構成としたハウスの気化冷却を利用した換気方法である。
【００１７】
請求項４の発明は、前記［Ａ］〜［Ｄ］に記載の目的を達成し、かつ、この目的を達成するに適するハウスの防虫ネットシステムに加えて、最適な吸水性の多孔質パットシステムを提供する。
【００１８】
請求項４は、請求項１に記載のハウスの気化冷却を利用した換気方法であって、
前記第一の換気扇と、前記第三の防虫ネットとの間に設置した前記吸水性の多孔質パットの下側を、ビニールフィルムにより遮蔽する構成としたハウスの気化冷却を利用した換気方法である。
【発明の効果】
【００１９】
請求項１の発明は、ハウスの天井と、天井面の一部に沿うように配置した第六の防虫ネットと、天井の下方で、かつハウスの短手方向と長手方向の全体わたって張装された第五の防虫ネットとで、ハウスの一方の妻面から、他方の妻面に向った防虫ネット通路を構成し、ハウスの一方の妻面に第一の換気扇を、また、他方の妻面に第二の換気扇を配置し、また、一方の妻面に離間して設け、かつ第一の換気扇に対峙して設けた吸水性の多孔質パットを設けたハウスの気化冷却を利用した換気方法であって、
第一の換気扇を駆動し、一方の妻面より吸込んだ外気を、防虫ネット通路に導くとともに、他方の妻面に設けた第二の換気扇に向かって押込むか、又は強制吸引し、防虫ネット通路において、ハウス内の長手方向に筒状の低圧送風域を形成するとともに、吸水性の多孔質パットの水分が、第一の換気扇からの送風を受けて細霧化され、一方の妻面に離間して設けた第三の防虫ネットより、低圧送風域に送られた後に、気化熱により、空気を細霧冷却（潜熱冷却）、及び／又は、空気の換気による顕熱冷却とでなる冷却送風域を形成し、低圧送風域で、ハウスの天井換気口、及び左右側面換気口の開放から、外気をハウス内に誘引し、かつ冷却送風域で、ハウス内の冷却効果を達成する構成としたハウスの気化冷却を利用した換気方法である。
【００２０】
従って、請求項１の発明は、下記の特徴がある。
［Ａ］  本発明は、ハウス内の長手方向に筒状の低圧送風域とともに、吸水性の多孔質パットを設けたハウスの気化冷却システムを形成し、換気及び／又は冷却の効率的と、低コスト化、並びに省エネルギー化を達成できること、又は換気空気量及び／又は冷却の拡充・ハウス内への外気の吸込み量及び／又は冷却の拡充が図れること、等である。
［Ｂ］  本発明は、防虫ネットの張装箇所を特定することで、ハウスの長手方向の側面から外気を、積極的に、誘引して吸込み、この吸込んだ外気を、筒状の低圧送風域に導くとともに、効率的な冷却が図れることで、ハウス内に、冷却された大きな空気の流れを確保できること、等である。
［Ｃ］  本発明は、外気の温度に対応し、吸込み兼排気用の換気扇と、対応する防虫ネットの開閉と、また、シャッターの開閉とを利用し、効率的で、かつ確実な換気と、温度（湿度）調整が図れること、等である。
［Ｄ］  本発明は、ハウス内への外気の吸込み量及び／又は冷却の拡充を図ることで、ハウスにおいて、温湿度調整を図り、炭酸同化作用の促進と、その他作物の生育にとっての必要条件を確保できること、また、健全な生育と、収穫の拡充及び／又は品質の向上、さらには各人が所望する作物の効率的で、かつ簡易な栽培等が図れること、等の諸条件達成できること、等である。
【００２３】
請求項２の発明は、請求項１に記載のハウスの気化冷却を利用した換気方法であって、
第一の換気扇は、吸込み兼排気用の換気扇、又は吸込み用の換気扇とし、第二の換気扇は、電動シャッター、又は排気用の換気扇とする構成としたハウスの気化冷却を利用した換気方法である。
【００２４】
従って、請求項２は、前記［Ａ］〜［Ｄ］に記載の目的を達成できること、かつ、この目的を達成するに適するハウスの換気扇システムを提供できる、こと等の特徴を有する。
【００２５】
請求項３は、請求項１に記載のハウスの気化冷却を利用した換気方法であって、
第一の換気扇には、吸水性の多孔質パットを対峙して設けるとともに、多孔質パットは、第一の換気扇と、第三の防虫ネットとの間に設置する構成としたハウスの気化冷却を利用した換気方法である。
【００２６】
従って、請求項３は、前記［Ａ］〜［Ｄ］に記載の目的を達成できること、かつ、この目的を達成するに適するハウスの防虫ネットシステムと、吸水性の多孔質パットシステムを提供できる、こと等の特徴を有する。
【００２７】
請求項４の発明は、請求項１に記載のハウスの気化冷却を利用した換気方法であって、
第一の換気扇と、第三の防虫ネットとの間に設置した吸水性の多孔質パットの下側を、ビニールフィルムにより遮蔽する構成としたハウスの気化冷却を利用した換気方法である。
【００２８】
従って、請求項４は、前記［Ａ］〜［Ｄ］に記載の目的を達成できること、かつ、この目的を達成するに適するハウスの防虫ネットシステムに加えて、最適な吸水性の多孔質パットシステムを提供できる、こと等の特徴を有する。
【図面の簡単な説明】
【００２９】
【図１】ハウス全体を示しており、天井換気口と側面のビニールフィルムを閉塞した俯瞰摸式図
【図２】ハウス全体を示しており、天井換気口と側面のビニールフィルムを開放した俯瞰摸式図
【図３】図２の拡大断面摸式図
【図４】図２の妻面の第一防虫ネットと、第一の換気扇との関係を示した俯瞰摸式図
【図５−１】吸込み兼排気用の換気扇を吸込み用として採用する一例を示した拡大側面図
【図５−２】吸込み兼排気用の換気扇を排気用として採用する一例を示した拡大側面図
【図６−１】電動シャッターの一例を示した拡大正面図
【図６−２】電動シャッターの一例を示した拡大背面図
【図７】吸込み用の換気扇の一例を示した拡大側面図
【図８】排気用の換気扇の一例を示した拡大側面図
【図９】吸水性の多孔質パットの要部を拡大して示した模式図
【図１０】ハウスに設置した吸込み兼排気用の換気扇と、天井換気口、並びに電動シャッター等の動作と、外気との関係の一例を示した図表
【発明を実施するための形態】
【００３０】
以下、本発明の好ましい、一例を説明する。
【００３１】
本発明は、一棟（一連）、又は多棟（多連）構造のハウス１は、長手方向Ｘの左右側面１ａ、１ｂ（対の構造は、原則として、一方で説明する）には、開閉自在の側面のビニールフィルム２、３を設ける。この側面のビニールフィルム２、３の捲取りで、側面換気口１００、１０１（側面窓）が形成される。尚、この側面換気口１００、１０１の裾部と、長手方向Ｘの棟部には、嵌め殺し用（業界用語である）と称されるビニールフィルム１０２を設ける。また、左右側面１ａ、１ｂには、第一・第二の防虫ネット５、６を張装する。この第一・第二の防虫ネット５、６の役割は、例えば、側面のビニールフィルム２、３の捲上げ時に、外気の吸込み（外気の導入）と、害虫の侵入防止である（以下、防虫ネットは、原則として、同じ役割を担う）。また、この第一・第二の防虫ネット５、６を張装することで、通常は、外気の吸込みの阻害要因となり、例えば、吸込みスピードが弱められる。しかし、本発明では、この吸込みスピードは、外気が、後述する低圧送風域Ｑで強制誘引されることで、原則として、開放状態（第一・第二の防虫ネット５、６を張装しない状態）と、略同等の吸込みスピードが保証されるのが特徴がある。
【００３２】
また、図１〜図６の例では、ハウス１の一方の妻面１ｃ（ハウス１の短手方向Ｙ）には、吸込み兼換気用の換気扇７（第一の換気扇）が、また、他方の妻面１ｄには、電動シャッター８（第二の換気扇）が設けられており、この吸込み兼換気用の換気扇７側は、例えば、一方の妻面１ｃに間隔Ｈを持って、第三の防虫ネット１０でハウス１を横断するように張装されている。また、電動シャッター８の外面にシャッター用の防虫ネットが張装されている。尚、図７、図８の例では、ハウス１の一方の妻面１ｃには、吸込み用の換気扇１１（第一の換気扇）が、また、他方の妻面１ｄには、排気用の換気扇１２（第二の換気扇）か、又は電動シャッター８が設けられる。そして、この吸込み用の換気扇１１側には、間隔Ｈを持ち、かつこのハウス１を横断するように第三の防虫ネット１０を張装する。そして、前記他方の妻面１ｄには、裏面のビニールフィルム４の捲取りで、裏面換気口１０３（裏面窓）が形成される。この裏面換気口１０３の裾部と、短手方向Ｙの妻面端部には、嵌め殺し用のビニールフィルム１０４を設ける。尚、この他方の妻面１ｄには、その裾部に第四の防虫ネット１４を張装する。この第四の防虫ネット１４は、後述する低圧送風域Ｑの失速をカバーし、他方の妻面１ｄの内側で、上昇させることが可能となる。この失速をカバー等の状況は、実績であり、かつ発明者が、実施において、経験した事実である。また、この他方の妻面１ｄには裏面換気口１０３を備えている。この第四の防虫ネット１４のその他の役割は、前述の例に準ずる。尚、図示しないが、第二の換気扇は、単なるシャッター、又は防虫ネット付きシャッターの場合もあり得る。この場合も、同じ効果が期待できること、また、省資源に役立つこと、等の特徴がある。
【００３３】
尚、ハウス１の谷部１ｆ（図示しないが棟部等）に天井換気口１５（開閉窓）を設け、この天井換気口１５の下側で、所謂、ハウス１の天井１ｅに第五の防虫ネット１６に張装するか、又はこの天井換気口１５（通常、谷換気口とするが、屋根換気口もあり得る）の直下に第六の防虫ネット１７を張装する。また、この天井換気口１５の長手方向Ｘの棟端部には、図示しないが、嵌め殺し用のビニールフィルムを設ける。
【００３４】
そして、前述したハウス１の一方の妻面１ｃ側に第三の防虫ネット１０、また、天井換気口１５の下側に第五の防虫ネット１６と、第六の防虫ネット１７を、さらに、ハウスの長手方向Ｘの左右側面に第一・第二の防虫ネット５、６を、それぞれ張装し、この第一〜第五の防虫ネット５、６、１０、１４、１６（場合により、第六の防虫ネット１７を含む）で囲繞するか、又は電動シャッター８用等の防虫ネットを含めて囲繞し、防虫ネット通路Ｐを構成する。尚、この第六の防虫ネット１７は、簡便性と、施工の簡易性等を考慮して、第五の防虫ネット１６で代替することも可能である。
【００３５】
図中２０は吸水性の多孔質パットで、この吸水性の多孔質パット２０は、一方の妻面１ｃに形成した間隔Ｈに設け、かつ吸込み兼換気用の換気扇７か、又は吸込み用の換気扇１１に対峙して設ける。また、この吸水性の多孔質パット２０と、この間隔Ｈの下側は、ビニールシート（図示しない）で遮蔽するか、又は第五の防虫ネット１６で遮蔽し、低圧送風域Ｑに向かって、水分を送り、気化熱による冷却（空冷）の効率化を図る。尚、この吸水性の多孔質パット２０への水分の供給手段は省略する。
【００３６】
また、図中２３をビニールフィルム捲上げ用の捲上げ手段を示す。この捲上げ手段２３を利用して、前記側面のビニールフィルム２、３と、天井換気口１５の天井１ｅのビニールフィルム１８を開閉する。
【００３７】
続いて、この吸込み兼換気用の換気扇７と、電動シャッター８の動きと、防虫ネット通路Ｐの構造により、この防虫ネット通路Ｐ（ハウス１）内（一部の長手方向Ｘにおいて）に筒状の低圧送風域Ｑが形成される状況を、図１０に示した図表で、順に説明する。このハウス１内の温度が上昇し、例えば、設定値の２３℃を超えた場合には（温度の表示は、以上を含む）、例えば、谷部１ｆの天井１ｅのビニールフィルム１８が捲上げられ、天井換気口１５が開き、開放部１５００は開放される。しかし、この開放部１５００は、張装した第五の防虫ネット１６及び／又は、第六の防虫ネット１７で閉塞されている。また、同時か、僅かな時間差で、側面のビニールフィルム２、３が捲上げられ、左右の側面１ａ、１ｂの側面換気口１００、１０１が開き、側面開放部１０００、１００１は開放される。しかし、この側面換気口１００、１０１と、他方の妻面１ｄの裏面換気口は、張装した第一・第二の防虫ネット５、６と、第四の防虫ネット１４で閉塞されている。また、開放された天井換気口１５は、張装した第五の防虫ネット１６及び／又は、第六の防虫ネット１７で閉塞されている。従って、この天井換気口１５と、側面換気口１００、１０１と、裏面換気口１０３が共に開放されているときは、自然換気による、ハウス１内の温度（湿度）調整である。
【００３８】
そして、時間の経過とともに、ハウス１内の温度が上昇すると、例えば、設定値の２５℃を超えた場合には、吸込み兼換気用の換気扇７が可動し、電動シャッター８が開放される。この吸込み兼換気用の換気扇７の可動で、一方の妻面１ｃから、外気を吸込み、この外気は、防虫ネット通路Ｐに導かれるとともに、前記の動きと、その構造により、この防虫ネット通路Ｐ内に筒状の低圧送風域Ｑが形成される。
【００３９】
この防虫ネット通路Ｐ内に低圧送風域Ｑが形成されることで、開放された、天井換気口１５と、側面換気口１００、１０１から、第五の防虫ネット１６（場合により、第六の防虫ネット１７）と、第一・第二の防虫ネット５、６とより外気が、誘引され、積極的な外気の吸込が図れる。また、前記の如く、第四の防虫ネット１４により低圧送風域Ｑの失速をカバーし、他方の妻面１ｄの内側で、上昇させることが可能となる。これにより、本出願人の実験例では、略５割増しの吸込み量が確認されている。換言すると、例えば、通常の換気による排気量を、１００とした場合に、略１５０の数値が確認されている。
【００４０】
そして、主として、夏季において、時間の経過とともに、ハウス１内の温度が上昇すると、例えば、設定値の３０℃を超えた場合には、吸水性の多孔質パット２０に水分を供給すると、この吸水性の多孔質パット２０の水分が、吸込み兼換気用の換気扇７からの送風を受けて細霧化され、第三の防虫ネット１０より、前記低圧送風域Ｑに送られた後に、気化熱により、空気を細霧冷却（潜熱冷却）、及び／又は、空気の換気による顕熱冷却とでなる冷却送風域Ｒを形成する。この冷却送風域Ｒを利用して、ハウス１内の温度の降下を図る。そして、この例では、低圧送風域Ｑの長手方向Ｘに向って、略均一な送風と、数秒の送風スピードとを利用することで、このハウス１内の温度の均一化が図れる特徴があり、例えば、栽培作物の均一な生育と、生育環境が確保できる特徴がある。
【００４１】
以上の動作が続き、時間の経過とともに、このハウス１内の温度が降下し、例えば、設定値の２５℃を下回った場合には、吸水性の多孔質パット２０への水分供給を停止し、かつ吸込み兼換気用の換気扇７が停止し、電動シャッター８を閉塞する。その後、さらに、このハウス１内の温度が降下し、例えば、設定値の２３℃を下回った場合には、例えば、谷部１ｆの天井１ｅのビニールフィルム１８を捲戻し、天井換気口１５等を閉め、開放部１５００は閉塞する。
【００４２】
以上の各構造の動作と、結果であり、このようなハウス１の換気と、温度制御が行われることで、このハウス１内の作物に最適な、生育環境が確保され、かつ省エネルギー、低コストのハウス栽培ができる。また、一例の動作を説明したが、ハウス１内の温湿度により、前記各動作は、個々に制御される。例えば、冬季等の場合には、吸水性の多孔質パット２０への水分供給は停止されること等が考えられる。
【００４３】
また、この吸込み兼換気用の換気扇７と、電動シャッター８に代えて、吸込み・排気用の換気扇１１、１２の構造も、同じである。しかし、この吸込み・排気用の換気扇１１、１２の構造は、低圧送風域Ｑの確実な形成が可能である。
【００４４】
尚、前記吸込み兼換気用の換気扇７と、電動シャッター８の動作、又はこの天井換気口１５と、側面換気口１００、１０１の動作等は、タイマー、手動による場合と、このタイマー等と前記制御との組合せも可能である。この例では、さらに細かな制御、及び／又は、省エネルギー、低コストと、当事者の経験等を活用できる。
【符号の説明】
【００４５】
１          ハウス
１ａ        側面
１ｂ        側面
１ｃ        一方の妻面
１ｄ        他方の妻面
１ｅ        天井
１ｆ        谷部
１００      側面換気口
１０１      側面換気口
１０２      ビニールフィルム
１０３      裏面換気口
１０４      ビニールフィルム
１０００    側面開放部
１００１    側面開放部
２          側面のビニールフィルム
３          側面のビニールフィルム
４          裏面のビニールフィルム
５          第一の防虫ネット
６          第二の防虫ネット
７          吸込み兼換気用の換気扇
８          電動シャッター
１０        第三の防虫ネット
１１        吸込み用の換気扇
１２        排気用の換気扇
１４        第四の防虫ネット
１５        天井換気口
１５００    開放部
１６        第五の防虫ネット
１７        第六の防虫ネット
１８        ビニールフィルム
２０        吸水性の多孔質パット
２３        捲上げ手段
Ｈ          間隔
Ｐ          防虫ネット通路
Ｑ          低圧送風域
Ｒ          冷却送風域
Ｘ          長手方向
Ｙ          短手方向
【図１】
0005456409.tif 000002
【図２】
0005456409.tif 000003
【図３】
0005456409.tif 000004
【図４】
0005456409.tif 000005
【図５−１】
0005456409.tif 000006
【図５−２】
0005456409.tif 000007
【図６−１】
0005456409.tif 000008
【図６−２】
0005456409.tif 000009
【図７】
0005456409.tif 000010
【図８】
0005456409.tif 000011
【図９】
0005456409.tif 000012
【図１０】
0005456409.tif 000013